(57)【要約】【課題】撮影の作業効率を低下させることなく、撮影オーダ情報の修正を行い、適切な撮影を行うことのできる放射線撮影システムを提供する。【解決手段】放射線源２と、照射された放射線に応じて検査対象の画像データを生成する撮影装置４ａ，４ｂ，４ｃと、撮影装置４ａ，４ｂ，４ｃに接続される操作装置６と、を撮影室Ｒ１内に配置し、撮影室Ｒ１の外に撮影予約の情報を含む撮影オーダ情報を取得し、取得した撮影オーダ情報に基づいて、撮影装置４ａ，４ｂ，４ｃの撮影条件を設定するコンソール５を配置して、操作装置６の表示部６１に撮影オーダ情報を表示させるとともに、表示された撮影オーダ情報を修正可能とし、修正された撮影オーダ情報を検査対象と対応付けるように構成されている。【選択図】図１
2010268822.tif 000002
【特許請求の範囲】
【請求項１】
検査対象に放射線を照射する放射線照射部と、前記放射線照射部から照射された放射線に応じた画像データを生成する撮影部と、前記撮影部に接続された操作部と、が撮影室内に設けられ、
検査対象に関する撮影予約の情報を含む撮影オーダ情報を取得し、当該取得した撮影オーダ情報に基づいて前記撮影部の撮影条件を設定するコンソールが、前記撮影室の外に設けられてなる放射線撮影システムであって、
前記操作部と前記コンソールとは、通信可能に接続されており、
前記操作部は、前記コンソールが取得した一の検査対象に係る撮影オーダ情報を表示させる表示部と、当該表示部に表示された撮影オーダ情報を修正する修正手段と、を備え、
前記コンソールは、前記修正手段により修正された撮影オーダ情報を前記検査対象と対応付ける修正対応付け手段を備えていること
を特徴とする放射線撮影システム。
【請求項２】
前記撮影部は複数配置されており、
前記修正手段は、一の撮影部に対する撮影予約を一括して、他の撮影部を使用する撮影予約に変更するように前記撮影オーダ情報を修正すること
を特徴とする請求項１に記載の放射線撮影システム。
【請求項３】
前記画像データには、当該撮影画像のシリーズを表すシリーズ情報が付帯されており、
前記表示部は、前記シリーズ情報に基づいて、同一撮影部に係る撮影画像をシリーズ毎に表示可能であること
を特徴とする請求項１又は請求項２に記載の放射線撮影システム。
【発明の詳細な説明】
【技術分野】
【０００１】
本発明は、放射線撮影システムに関するものである。
【背景技術】
【０００２】
従来、放射線画像を撮影する放射線撮影システムとしては、フィルム／スクリーンや輝尽性蛍光体プレートを用いるものが知られている。
また、近年、従来のフィルム／スクリーンや輝尽性蛍光体プレートに代わり、ＦＰＤ（flat panel detector）等の半導体イメージセンサを利用した画像データ生成手段によって検査対象部位を撮影し、診断に用いる試みがなされるようになってきている。このような半導体イメージセンサを利用した撮影では、画像データの読取・消去の応答性が速いため、迅速に撮影を行うことができるとの特長がある。
【０００３】
このような放射線撮影システムは、画像を形成する撮影部とこれを操作するコンソールとを備えており、このうち撮影部は撮影室内に設けられ、コンソールは撮影室と隔てられた撮影制御室に設けられていることが一般である。
なお、撮影部として、立位撮影を行う装置、臥位撮影を行う装置等、複数備えている放射線撮影システムも知られている（例えば、特許文献１参照）。
【０００４】
ところで、撮影部により患者の撮影を行う放射線技師は、撮影制御室において、まず曝射量等の撮影条件を設定した後、撮影室において患者を撮影部に誘導し、更に撮影制御室に戻って曝射ボタンを操作し撮影を行う。この場合例えば、撮影制御室で撮影条件を設定した後、撮影室で患者を確認したところ、撮影条件を変更した方がよいという場合もある。しかしながら、従来は、撮影条件の設定や変更は撮影制御室でしか行うことができなかったため、かかる場合には、放射線技師は撮影制御室に戻って撮影条件の変更を行わなくてはならなかった。
【０００５】
そこで、このような放射線技師の煩を軽減するため、撮影室内に曝射量等の撮影条件を変更可能な操作部を設け、これを操作することによって、撮影制御室に戻らなくても撮影条件の修正ができる構成も提案されている（例えば、特許文献２参照）。
【特許文献１】特開２００１−１４９３５８号公報
【特許文献２】特開２００２−２７２７２３号公報
【発明の開示】
【発明が解決しようとする課題】
【０００６】
放射線撮影においては、例えば患者の身長、体重、撮影部位等の情報をＲＩＳ（Radiology Information System；放射線情報科情報システム）やＨＩＳ（Hospital Information System；病院情報システム）等から取得して、撮影する領域サイズ（例えば８インチ×１０インチ、１４インチ×１７インチ）等の撮影オーダ情報が生成される。そして、この撮影オーダ情報に基づいて、画像の撮影及び読み取りが行われる。
【０００７】
しかしながら、例えば撮影対象となる患者をポジショニングして撮影するまでの間に患者が動くことにより、検査対象（撮影対象部位）を含む領域が当初の設定位置からずれてしまう場合等があり得る。
また、当初は立位で撮影する予定であったが、患者が身体を支えることができず、急遽臥位での撮影に切り替えたい場合等もあり得る。
【０００８】
このような場合には事後的に撮影オーダ情報を修正・変更することが必要となるが、従来は、撮影室内で撮影オーダ情報の修正・変更を行うことはできず、放射線技師が撮影制御室に移動して行う必要があったため、撮影の作業効率が低下するとの不具合があった。この点、特許文献２に記載の技術では、撮影室に操作部が設けられているが、この操作部では曝射量等の撮影条件を変更できるのみであり、その他の撮影オーダ情報を修正・変更することはできなかった。
【０００９】
本発明は以上のような課題を解決するためになされたものであり、撮影の作業効率を低下させることなく、撮影オーダ情報の修正を行い、適切な撮影を行うことのできる放射線撮影システムを提供することを目的とする。
【課題を解決するための手段】
【００１０】
上記課題を解決するため、請求項１に記載の発明は、
検査対象に放射線を照射する放射線照射部と、前記放射線照射部から照射された放射線に応じた画像データを生成する撮影部と、前記撮影部に接続された操作部と、が撮影室内に設けられ、
検査対象に関する撮影予約の情報を含む撮影オーダ情報を取得し、当該取得した撮影オーダ情報に基づいて前記撮影部の撮影条件を設定するコンソールが、前記撮影室の外に設けられてなる放射線撮影システムであって、
前記操作部と前記コンソールとは、通信可能に接続されており、
前記操作部は、前記コンソールが取得した一の検査対象に係る撮影オーダ情報を表示させる表示部と、当該表示部に表示された撮影オーダ情報を修正する修正手段と、を備え、
前記コンソールは、前記修正手段により修正された撮影オーダ情報を前記検査対象と対応付ける修正対応付け手段を備えていることを特徴とする放射線撮影システムである。
【００１１】
また請求項２に記載の発明は、請求項１に記載の放射線撮影システムにおいて、
前記撮影部は複数配置されており、
前記修正手段は、一の撮影部に対する撮影予約を一括して、他の撮影部を使用する撮影予約に変更するように前記撮影オーダ情報を修正することを特徴とする。
【００１２】
請求項３に記載の発明は、請求項１又は請求項２に記載の放射線撮影システムにおいて、
前記画像データには、当該撮影画像のシリーズを表すシリーズ情報が付帯されており、
前記表示部は、前記シリーズ情報に基づいて、同一撮影部に係る撮影画像をシリーズ毎に表示可能であることを特徴とする。
【発明の効果】
【００１３】
請求項１に記載の発明によれば、撮影室内に設けられた操作部と撮影室の外に設けられたコンソールとが通信可能に接続されており、コンソールによって取得された撮影オーダ情報を操作部の表示部に表示させ、この撮影オーダ情報を操作部の修正手段により修正可能となっている。これにより、撮影室内で検査対象の患者のポジショニング等を行った後にその位置がずれた場合や、当初の予定とは異なる撮影部を使用して撮影を行いたい場合等に、撮影室内の操作部を操作することによって撮影オーダ情報を修正することができ、撮影室の外のコンソールまで行く必要がない。このため、放射線技師の煩を低減させることができるとともに、撮影作業の円滑・迅速を実現することができるとの効果を奏する。
また、コンソールは、修正後の撮影オーダ情報と検査対象とを対応付けるようになっているので、検査対象と対応付けられる情報に撮影室内で修正された内容を反映させることができる。
【００１４】
請求項２に記載の発明によれば、一の撮影部に対する撮影予約を一括して、他の撮影部を使用する撮影予約に変更するようになっているので、ある撮影部が故障等により使用できなくなった場合等には、容易に撮影予約を変更することができ、便宜である。
【００１５】
患者が動いたこと等により、検査対象の位置ずれが生じる場合には、同一シリーズでは同様の位置ずれが発生することが多いが、請求項３に記載の発明によれば、同一撮影部に係る撮影画像をシリーズ毎に表示部に表示させることができるので、シリーズ毎に検査対象の位置ずれの有無等を確認することができ、再撮影の要否等を容易に判断することができる。
【発明を実施するための最良の形態】
【００１６】
以下、図１から図１０を参照しながら本発明に係る放射線撮影システムの一実施形態について説明する。ただし、本発明は図示例のものに限定されるものではない。
【００１７】
本実施形態に係る放射線撮影システム１００は、病院内で行われる放射線画像撮影を想定したシステムであり、図１に示すように、例えば、放射線を照射して患者Ｍの一部である検査対象（患者Ｍの撮影対象部位）の撮影を行う撮影室Ｒ１と、放射線技師が検査対象に照射する放射線の制御や、放射線を照射して取得した放射線画像の画像処理等を行う撮影制御室Ｒ２に配置されるものである。
本実施形態において、撮影室Ｒ１は放射線を遮蔽する室であり、撮影室Ｒ１には、検査対象に放射線を照射する放射線源２、放射線源２から照射された放射線に応じた画像データを生成する撮影装置４、及び撮影装置４等と接続される操作装置６が配置されている。また、撮影制御室Ｒ２には、ＨＩＳ／ＲＩＳ７等から検査対象に関する撮影オーダ情報を取得するとともに、システム全体の制御を行うコンソール５が設けられている。本実施形態では、放射線撮影システム１００は、これら放射線源２と、撮影装置４ａ，４ｂ，４ｃと、操作装置６と、コンソール５とを備えて構成されている。
【００１８】
撮影室Ｒ１に設けられている放射線源２は、検査対象に放射線を照射する放射線照射部であり、放射線源２には、高圧電圧を発生する図示しない電圧発生源及び電圧発生源により高圧電圧が印加されると放射線を発生する放射線管（図示せず）が配設されている。また、放射線管の放射線照射口には、放射線照射範囲を調整する放射線絞り装置（図示せず）が設けられている。
放射線源２は、例えば撮影室Ｒ１の天井からつり下げられており、撮影時には後述する撮影装置４ａ，４ｂのいずれかに装填された放射線検出器４０、又は、単体で使用される可搬型撮影装置４ｃに対向する位置に配置され、検査対象に対して放射線を照射するようになっている。
【００１９】
放射線源２は、コンソール５と接続されており、コンソール５から放射線源２に対して放射線照射条件を制御する制御信号が送信されるようになっている。コンソール５から送信される制御信号によって制御される放射線照射条件は、例えば、撮影開始／終了タイミング、Ｘ線管電流の値、Ｘ線管電圧の値、フィルタ種等である。放射線源２は、この制御信号に従って、電圧発生源、放射線絞り装置等の各部の駆動制御が行われ、所定の放射線を所定のタイミングで照射するようになっている。
【００２０】
また、撮影室Ｒ１には、画像データを生成する撮影部として、放射線検出器４０を内蔵する立位撮影用の撮影装置４ａ及び臥位撮影用の撮影装置４ｂと、可搬型の放射線検出器である可搬型撮影装置４ｃとが設けられている。
【００２１】
立位撮影用の撮影装置４ａは、放射線源２から照射された放射線に基づき、検査対象の元画像データを生成する画像データ生成手段としての放射線検出器４０を保持する検出器保持部４１と、検出器保持部４１を昇降自在に支持する支持柱４２と、を備えている。
【００２２】
また、臥位撮影用の撮影装置４ｂは、検査対象を提供する患者Ｍを仰向きやうつ伏せ等の横臥した状態で支持する支持板４５を備えるベッド型の撮影装置である。支持板４５の下面側（検査対象を支持する面の反対側の面）には、立位撮影用の撮影装置４ａと同様に、画像データ生成手段としての放射線検出器４０を保持する検出器保持部４６が設けられている。なお、臥位撮影用の撮影装置４ｂは、支持板４５が昇降可能に構成されていてもよい。
なお、立位撮影用の撮影装置４ａ、臥位撮影用の撮影装置４ｂに装填される放射線検出器４０は、両撮影装置４ａ，４ｂのいずれにも装填可能なものである。
【００２３】
また、可搬型撮影装置４ｃは可搬型の放射線検出器であって、放射線検出器４０と同様、画像データ生成手段である。可搬型撮影装置４ｃは、例えば図示しない電源や通信部等を内蔵しており、立位撮影用の撮影装置４ａや臥位撮影用の撮影装置４ｂ等に据え付けられずに単体で使用されるものである。可搬型撮影装置４ｃを用いて撮影を行う際には、可搬型撮影装置４ｃをいずれかの放射線源２の照射野内に配置して撮影を行う。なお、撮影室Ｒ１内に可搬型撮影装置４ｃを保持する図示しないクレードル等が設けられていてもよい。この場合にはクレードルを介して可搬型撮影装置４ｃの充電や外部機器との通信等を行うようにしてもよい。なお、可搬型撮影装置４ｃは、立位撮影用の撮影装置４ａ、臥位撮影用の撮影装置４ｂに装填可能に構成されていてもよい。
【００２４】
なお、図１においては、立位撮影用の撮影装置４ａ及び臥位撮影用の撮影装置４ｂのそれぞれに対応して放射線源２を設ける場合を例示しているが、放射線源２の設置は図示例に限定されず、例えば立位撮影用の撮影装置４ａ、臥位撮影用の撮影装置４ｂ等による撮影に兼用可能な放射線源２を１つ設けてもよい。
【００２５】
立位撮影用の撮影装置４ａ、臥位撮影用の撮影装置４ｂ及び可搬型の放射線検出器である可搬型撮影装置４ｃには、操作部としての操作装置６が接続されている。
図２に示すように、操作装置６は、図示しないＣＰＵ等で構成される制御部６５、図示しないＲＯＭやＲＡＭ等で構成される記憶部６６、操作入力部６２、通信部６３、表示部６１等を備えて構成されており、各部はバス６７により接続されている。
【００２６】
制御部６５は、記憶部６６のＲＯＭに記憶されているシステムプログラムや処理プログラム等の各種プログラムを読み出してＲＡＭに展開し、展開されたプログラムに従って表示部６１の表示や通信部６３によるデータの送受信の制御を行うようになっている。
【００２７】
記憶部６６は、ＨＤＤ（Hard Disc）や半導体の不揮発性メモリ等により構成される。記憶部６６のＲＯＭには、前述のように各種プログラムが記憶されているほか、コンソール５から送信された撮影オーダ情報等、各種情報が記憶されている。
また、記憶部６６には、前記各種の装置（放射線検出器４０を内蔵する立位撮影用の撮影装置４ａ及び臥位撮影用の撮影装置４ｂと、単体の可搬型撮影装置４ｃ）によって生成された元画像データが一時的に記憶されるようになっていてもよい。なお、記憶部６６に記憶される情報は、ここに例示したものに限定されない。
【００２８】
表示部６１（図３〜図５参照）は、例えば、ＣＲＴ（Cathode Ray Tube）やＬＣＤ（Liquid Crystal Display）等のモニタを備えて構成されている。
なお、操作入力部６２が表示部６１と一体として設けられたタッチパネルで構成されていてもよい。以下においては、表示部６１にタッチパネルが構成されている場合を例として説明する。
【００２９】
表示部６１には、コンソール５がＨＩＳ／ＲＩＳ７等から取得した、一の検査対象に係る撮影オーダ情報が表示可能となっている。撮影オーダ情報は１件のみでもいいし、複数でもよい。また、本実施形態において、撮影画像の画像データにはシリーズに関するシリーズ情報（後述）が撮影の際に付帯され、表示部６１は、同一の撮影装置４ａ，４ｂ，４ｃに係る撮影画像をシリーズ毎に表示可能となっている。ここで、シリーズ情報とは、一つの検査の中で生成される撮影装置４毎の一連の撮影画像の単位（シリーズ）を示すシリーズＩＤや撮影装置４の種別を含むデータである。例えば、ある検査において、立位撮影用の撮影装置４ａにより胸部の画像を１０枚撮影し、その後、腹部の画像を１０枚撮影したとすると、それぞれ別のシリーズとして異なるシリーズＩＤが付帯される。
【００３０】
操作入力部６２は、前述のように表示部６１と一体として設けられたタッチパネルで構成されており、各種の指示、情報を入力可能となっている。操作入力部６２は、入力された指示信号を制御部６５に出力する。
なお、操作入力部６２の構成はここに例示したものに限定されず、例えばカーソルキー、数字入力キー、及び各種機能キー等を備えたキーボードや、マウス等のポインティングデバイス等を備えて構成されていてもよい。
【００３１】
本実施形態において撮影オーダ情報は撮影部位や撮影に使用する撮影装置４ａ，４ｂ，４ｃの情報等、撮影予約に関する情報を含んでおり、これらの情報は表示部６１に表示されるようになっている。そして、操作入力部６２は、こうした撮影オーダ情報を修正する修正手段として機能する。
【００３２】
すなわち、ユーザ（放射線技師）は、後述するように、操作入力部６２を操作することにより、撮影対象となる患者Ｍの診断に用いる画像領域（以下、この領域を「有効画像領域」と称する。）の変更、いずれの装置（撮影装置４ａ，４ｂ，４ｃ）で撮影を行うかの装置選択の変更等、撮影オーダ情報の変更を行うことができるようになっている。
また、例えば、撮影に用いる撮影装置４ａ，４ｂ，４ｃを変更する場合には、ユーザ（放射線技師）が操作入力部６２を操作することにより、ある撮影装置４に対する撮影予約を一括して、他の撮影装置４を使用する撮影予約に変更するように撮影オーダ情報を修正することが可能となっている。
【００３３】
また、立位撮影用の撮影装置４ａの検出器保持部４１の位置や臥位撮影用の撮影装置４ｂの支持板４５の高さ等を調整したい場合には、ユーザ（放射線技師等）が操作装置６の操作入力部６２を操作することにより調整可能となっていてもよい。
【００３４】
通信部６３は、各撮影装置４ａ，４ｂ，４ｃとの間でデータの送受信を行う。即ち、通信部６３は、撮影部である撮影装置４ａ，４ｂ，４ｃにより生成された画像データを受信する受信手段である。また、操作装置６は、撮影制御室Ｒ２に設けられているコンソール５と通信可能に接続されており、操作装置６において有効画像領域の変更や撮影に使用する撮影装置４ａ，４ｂ，４ｃの変更等の各種設定の変更や撮影装置４ａ，４ｂ各部の位置調整等が行われた場合には、その情報がコンソール５に送信される。
【００３５】
なお、図１においては、立位撮影用の撮影装置４ａ、臥位撮影用の撮影装置４ｂ及び可搬型撮影装置４ｃに共通の操作装置６を１つ設ける構成を例示しているが、操作装置６の設置は図示例に限定されない。立位撮影用の撮影装置４ａ、臥位撮影用の撮影装置４ｂ及び可搬型撮影装置４ｃのそれぞれに個別の操作装置６が接続されている構成としてもよい。
【００３６】
ここで、操作装置６の表示部６１に表示される表示画面について説明する。
【００３７】
図３は、表示部６１に表示されるメイン画面の一例である。メイン画面には、患者ＭのＩＤを表示するＩＤ表示欄６１１や患者Ｍの氏名を表示する氏名表示欄６１２が設けられており、撮影対象となる患者Ｍを確認できるようになっている。また、メイン画面には、撮影に用いられる装置を示した装置アイコン６１７によって、当該撮影室Ｒ１で行われる全撮影の撮影予約を表示させることが可能となっている。例えば、図３では、立位撮影用の撮影装置４ａで３回、臥位撮影用の撮影装置４ｂで４回及び可搬型撮影装置４ｃで３回の計１０回の撮影予約が入っている場合が示されている。なお、複数の装置による複数の撮影が予定されている場合には、装置ごとにソートして表示させるようになっていることが好ましい。また、同一の装置に係る撮影画像のうち、シリーズの異なるものがある場合には、シリーズ毎に表示可能であることが好ましい。なお、装置アイコン６１７は当該撮影予約が撮影済みか未撮影かについても示しており、例えば図３においては、撮影済みのものには装置アイコン６１７にチェックが表示されている。また、撮影予約が多数あり、１つの画面内に表示できない場合には、例えば、表示部６１に１０ずつ撮影予約を表示させ、画面をスクロールさせることによって１１以降の撮影予約を表示させるようになっていてもよい。
【００３８】
なお、ある装置アイコン６１７を選択すると、当該撮影についてどの装置を用いるかの設定を変更する装置変更画面（図４参照）に遷移する。図４に示すように、装置変更画面には、立位撮影用の撮影装置４ａ、臥位撮影用の撮影装置４ｂ、可搬型撮影装置４ｃに対応する装置選択ボタン６３６を有する装置選択欄６３５が設けられている。装置変更画面では、この装置選択欄６３５の中の装置選択ボタン６３６を操作することにより、撮影に用いる装置を立位撮影用の撮影装置４ａ、臥位撮影用の撮影装置４ｂ、可搬型撮影装置４ｃの中から選択することができる。例えば当初立位で撮影する予定の患者について急遽臥位で撮影することとなった場合には、装置変更画面において装置選択ボタン６３６のうち臥位撮影用の撮影装置４ｂを示すボタン（図４において中央の装置選択ボタン６３６）を選択する。
なお、全撮影条件対象欄６３７にチェックを入れると、当該撮影予約だけではなく、当該操作装置６で管理される全ての撮影について選択された装置を用いるように撮影予約が一括して変更される。そして、決定ボタン６３８を操作することにより選択した内容が決定され、コンソール５に変更内容が送信される。また、設定変更を確定させない場合には戻るボタン６３９を操作することにより、設定変更がされないままメイン画面に戻ることができる。
【００３９】
また、装置アイコン６１７のうちアクティブになっているものに対応する撮影画像（撮影後の場合）又は撮影予約情報（撮影前の場合）が画像表示欄６１３に表示されるようになっており、図３では、太枠で囲った、撮影済みの４番目の撮影と未撮影の５，６回目の撮影予約情報が画像表示欄６１３に表示させるものとして選択された状態となっている。アイコン切替ボタン６１６を操作することにより、アクティブになっている装置アイコン６１７を切り替えることができ、これにより画像表示欄６１３に表示させるものを切り替えることができる。
【００４０】
画像表示欄６１３に表示されているもののうち、撮影前のものについて有効画像領域のサイズ変更等の撮影条件の設定、入力を行う場合には、画像選択ボタン６１５を操作するか、画像切替ボタン６１４を操作することにより画像表示欄６１３に表示されたもののうち撮影条件の設定、入力をしたいものを選択して当該撮影予約情報を示す欄をアクティブにする。そして、アクティブになっている欄を選択することにより、当該撮影についての撮影条件の設定、入力を行う撮影条件設定画面（図５参照）に遷移することができる。
【００４１】
図５に示すように、撮影条件設定画面には、有効画像領域のサイズを示すサイズ表示欄６２１、サイズの設定変更を行うサイズ設定欄６２２、表示設定欄６２４、基準位置設定欄６２７、装置選択欄６２８等が設けられている。
本実施形態では、後述するように、放射線検出器４０，可搬型撮影装置４ｃとして最大撮影可能サイズが１７インチ×１７インチのものを使用しているが、検査対象（撮影対象部位）や撮影対象となる患者Ｍの体格等によっては、検査対象（撮影対象部位）が小さいサイズの領域内に収まる場合もある。このため、本実施形態では、一般的に適用される定型サイズである１７インチ×１７インチから８インチ×１０インチまでの６種類のサイズのサイズ選択ボタン６２３をサイズ設定欄６２２に設けて、有効画像領域（撮影対象となる患者Ｍの診断に用いる画像領域）をこれら６種類の中から選択可能としている。
なお、サイズ表示欄６２１においては、サイズ設定欄６２２において有効画像領域として選択されているサイズを示す部分がアクティブな表示となっており、本実施形態では１４インチ×１７インチのサイズを示す範囲がアクティブとなっている。
【００４２】
また、表示設定欄６２４において、撮影された画像をそのまま表示させるか（Landscapeの場合）、９０度回して表示させるか（Portraitの場合）を選択可能としている。
【００４３】
さらに、立位撮影用の撮影装置４ａにおける撮影の場合と臥位撮影用の撮影装置４ｂに置ける撮影の場合とでは、有効画像領域の領域設定枠６３２ａ，６３２ｂを設定する際の基準となる画像中心が異なり、例えば図６（ａ）に示すように、立位撮影用の撮影装置４ａの場合には、上基準で領域設定枠６３２ａ，６３２ｂが設定されるのに対して、図６（ｂ）に示すように、臥位撮影用の撮影装置４ｂの場合には、例えば支持板４５の中心を基準とし、この中心から所定の範囲に領域設定枠６３２ａ，６３２ｂが設定される。そこで、本実施形態では、基準位置設定欄６２６の基準位置設置ボタン６２７を操作することにより、領域設定枠６３２ａ，６３２ｂを設定する際の基準位置をどこに定めるかの設定を行うことができるようになっている。
【００４４】
また、装置選択欄６２８の中の装置選択ボタン６２９を操作することにより、撮影に用いる装置を立位撮影用の撮影装置４ａ、臥位撮影用の撮影装置４ｂ、可搬型撮影装置４ｃの中から選択することができる。なお、全撮影条件対象欄６２８ａにチェックを入れると、当該撮影予約だけではなく、当該操作装置６で管理される全ての撮影について選択された装置を用いるように設定が変更される。
そして、決定ボタン６３０を操作することにより選択した内容が決定され、コンソール５に変更内容が送信される。また、設定変更を確定させない場合には戻るボタン６３１を操作することにより、設定変更がされないままメイン画面に戻ることができる。
なお、メイン画面、装置変更画面、撮影条件設定画面のレイアウト等はここに例示したものに限定されない。
【００４５】
立位撮影用の撮影装置４ａ及び臥位撮影用の撮影装置４ｂに設けられる放射線検出器４０及び可搬型の放射線検出器である可搬型撮影装置４ｃは、例えば半導体イメージセンサにより構成されるＦＰＤ（Flat Panel Detector）等である。ＦＰＤは、例えば、ガラス基板等を有しており、基板上の所定位置に、放射線源２から照射されて少なくとも患者Ｍの一部である検査対象を透過した放射線をその強度に応じて検出し、検出した放射線を電気信号に変換して蓄積する複数の画素がマトリックス状に配列されている。各画素は、例えばＴＦＴ（Thin Film Transistor）等のスイッチング部により構成されている。
【００４６】
撮影装置４ａ，４ｂに設けられる放射線検出器４０及び可搬型撮影装置４ｃは、電気信号の読取り等を制御する図示しない制御部を有している。また、放射線検出器４０及び可搬型撮影装置４ｃは操作装置６と接続されており、操作装置６にコンソール５から画像読取条件が入力されると、操作装置６はこの画像読取条件を放射線検出器４０及び可搬型撮影装置４ｃに送信するようになっている。放射線検出器４０及び可搬型撮影装置４ｃの制御部は、この画像読取条件に基づいて各画素のスイッチング部を制御して、当該各画素に蓄積された電気信号の読み取りをスイッチングしていき、放射線検出器４０及び可搬型撮影装置４ｃに蓄積された電気信号を読み取ることにより、元画像データを生成する。
【００４７】
なお、本実施形態においては、放射線検出器４０及び可搬型撮影装置４ｃとして、最大撮影可能サイズが１７インチ×１７インチの比較的大型のものを使用しており、このような放射線検出器４０及び可搬型撮影装置４ｃは一般の患者Ｍにおける検査対象よりも大きな寸法となっている。放射線検出器４０及び可搬型撮影装置４ｃには、前記放射線源２からの放射線が少なくとも一方向における全幅に亘って照射されるようになっている。
【００４８】
また、放射線検出器４０及び可搬型撮影装置４ｃの制御部は、取得した元画像データから間引き画像データを生成して操作装置６に送信する。操作装置６は送られた間引き画像データに基づく画像を表示部６１に表示させる。これにより、ユーザ（放射線技師等）は検査対象が元画像データの全画像領域内のいずれかに収まっているかを確認することができる。検査対象が元画像データの全画像領域内のいずれかに収まっているとしてユーザ（放射線技師等）が操作装置６から放射線検出器４０、可搬型撮影装置４ｃに送信指示を送信すると、放射線検出器４０、可搬型撮影装置４ｃは撮影した画像の全体である元画像データをコンソール５に出力する。
【００４９】
なお、撮影室Ｒ１は放射線源２の放射線が当該撮影室Ｒ１の外部に漏出しないように放射線遮蔽部材で覆われた室となっている。通常、このような放射線遮蔽部材は、例えば鉛板のような金属製部材すなわち導電性部材であり、電波の透過を抑える性質や電波を反射する性質を持つ。
そして、この撮影室の外に設けられた撮影制御室Ｒ２には、コンソール５が配置されている。
【００５０】
図７を参照しつつ、本実施形態におけるコンソール５の構成について説明する。
コンソール５は、図示しないＣＰＵ等で構成される制御部５１、ＲＯＭ５３やＲＡＭ５４等で構成される記憶部５２、入力部５５、通信部５６、表示部５７等を備えて構成されており、各部はバス５８により接続されている。
【００５１】
制御部５１は、記憶部５２のＲＯＭ５３に記憶されているシステムプログラムや処理プログラム等の各種プログラムを読み出してＲＡＭ５４に展開し、展開されたプログラムに従って画像処理や画像処理の完了した撮影画像データと検査対象の撮影オーダ情報との対応付け処理をはじめとする各種処理を実行するようになっている。
【００５２】
記憶部５２は、ＨＤＤ（Hard Disc）や半導体の不揮発性メモリ等により構成される。記憶部５２のＲＯＭ５３には、前述のように各種プログラムが記憶されているほか、特開平１１−８５９５０や特開２００１−７６１４１の明細書中に開示されているような撮影部位を識別するための部位識別パラメータ（撮影画像に現われた撮影対象の輪郭、形状等と撮影部位とを対応付けるルックアップテーブル等）及び識別された撮影部位に応じた画像処理を行う画像処理パラメータ（階調処理に用いる階調曲線を定義したルックアップテーブル、周波数処理の強調度等）等が記憶されている。
【００５３】
また、記憶部５２には、前記各種の装置（放射線検出器４０を内蔵する立位撮影用の撮影装置４ａ及び臥位撮影用の撮影装置４ｂと、可搬型撮影装置４ｃ）によって生成された元画像データが一時的に記憶されるようになっている。本実施形態では、記憶部５２は２０００枚分程度の元画像データを保存可能となっており、その容量を超えると元画像データは古いものから順に上書きされて消去されるようになっている。なお、元画像データに患者ＭのＩＤや患者氏名等の患者情報、撮影の種類に関する情報、撮影を行った装置を識別する情報等が付帯しているときは、元画像データとこれらの情報とを対応付けて記憶する。なお、記憶部５２に記憶される情報は、ここに例示したものに限定されない。
【００５４】
入力部５５は、例えば図示しないカーソルキー、数字入力キー、及び各種機能キー等を備えたキーボードと、マウス等のポインティングデバイスを備えて構成されており、撮影対象である患者Ｍを特定する患者情報であるＩＤや患者氏名等を入力可能となっている。入力部５５は、キーボードに対するキー操作やマウス操作により入力された指示信号を制御部５１に出力するようになっている。
【００５５】
ここで、入力部５５から入力される患者情報としては、例えば患者Ｍの氏名、診察券番号等が挙げられるが、患者情報はここに例示したものに限定されない。また、患者ＭのＩＤとは、撮影後に画像データを検索する際、撮影対象となった患者Ｍを識別する識別標識となるものであり、例えば受付けを行ったときに付与される受付番号である。
【００５６】
通信部５６は、ネットワークインターフェース等により構成され、スイッチングハブを介してネットワークＮに接続された外部機器との間でデータの送受信を行う。
本実施形態において、ネットワークＮを介してコンソール５の通信部５６と接続される外部装置としては、ＨＩＳ／ＲＩＳ７、ＰＡＣＳサーバ８、イメージャ９等があるが、ネットワークＮに接続される外部装置はここに例示したものに限定されない。
ＨＩＳ／ＲＩＳ７は、撮影に関する検査対象の撮影オーダ情報をコンソール５に提供する。撮影オーダ情報は、例えば検査対象を提供する患者Ｍの氏名等の患者情報や、撮影部位、撮影方法、撮影に使用する撮影装置４ａ，４ｂ，４ｃの種類等の撮影予約に関する情報等に関する情報等を含んでいる。なお、撮影オーダ情報はここに例示したものに限定されず、これ以外の情報を含んでいてもよいし、上記に例示した情報のうちの一部でもよい。ＰＡＣＳサーバ８は、コンソール５から出力された画像データを保存する。また、イメージャ９は、コンソール５から出力された画像データに基づいて放射線画像をフィルムなどの画像記録媒体に記録し、出力する。
【００５７】
また、通信部５６は、画像データ生成手段である放射線検出器４０、可搬型撮影装置４ｃや操作装置６と通信可能に接続されており、放射線検出器４０、可搬型撮影装置４ｃによって生成された元画像データや操作装置６から入力・設定された情報等を受信するとともに、各種指示信号等を放射線検出器４０、可搬型撮影装置４ｃや操作装置６に送信する。即ち、通信部５６は、放射線検出器４０、可搬型撮影装置４ｃから送信される元画像データや操作装置６から送信される情報等を受信する受信手段であり、また、必要に応じてネットワークＮに接続された外部機器に画像処理の完了した有効画像領域の画像データを送信し出力する出力手段として機能するものである。なお、コンソール５の通信部５６は、放射線検出器４０、可搬型撮影装置４ｃ、操作装置６との間でケーブルを介した有線通信方式で通信するものでもよいし、無線通信方式で通信するものでもよい。
【００５８】
表示部５７は、例えば、ＣＲＴ（Cathode Ray Tube）やＬＣＤ（Liquid Crystal Display）等のモニタを備えて構成されており、元画像データの基づく全撮影画像、有効画像領域の画像、各種の患者情報等を表示する表示手段である。表示部５７は、制御部５１から入力される表示信号の指示に従って、各種画面を表示する。
【００５９】
本実施形態においては、表示部５７上に入力部５５がタッチパネルとして形成されており、この表示部５７上の表示画面から有効画像領域（撮影対象となる患者Ｍの診断に用いる画像領域）の設定変更を行うことができるようになっている。
図８は、表示部５７に表示される有効画像領域変更画面の一例を示したものである。図８に示すように、有効画像領域変更画面には、有効画像領域の位置調整を行う有効画像領域調整欄５７１、有効画像領域の設定変更を行うサイズ設定欄５７２等が設けられている。
【００６０】
有効画像領域調整欄５７１には、位置調整ボタン５８１が設けられており、位置調整ボタン５８１を操作することにより有効画像領域５８０の領域設定枠の位置を上下左右方向に移動させることができるようになっている。
【００６１】
サイズ設定欄５７２には、１７インチ×１７インチから８インチ×１０インチまでの６種類の定型サイズに対応して、６つのサイズ選択ボタン５７４が設けられており、最大サイズである１７インチ×１７インチから六切までの６種類の中から有効画像領域（撮影対象となる患者Ｍの診断に用いる画像領域）のサイズを選択可能となっている。
【００６２】
その他、有効画像領域変更画面には、向き選択ボタン５７６を備え、読取りの向きを縦横いずれかから選択できる読取向き選択欄５７５や、撮影付帯情報の記入画面（図示せず）に表示画面を遷移させる付帯情報入力ボタン５８５、入力された撮影付帯情報を表示させる付帯情報表示欄５８６等が設けられている。また、有効画像領域変更画面において設定が完了し、設定内容を確定させるためのＯＫボタン５８７、入力した内容を取り消す取消ボタン５８８等も設けられている。なお、有効画像領域変更画面のレイアウト等はここに例示したものに限定されない。
【００６３】
次に、制御部５１によって行われる各種処理について説明する。
【００６４】
本実施形態において、制御部５１は、ＨＩＳ／ＲＩＳ７等から得た情報に基づいて、当該患者Ｍの当該撮影において、元画像データのうちのどの範囲を有効画像領域とするかを指定する画像領域指定手段として機能する。本実施形態において、制御部５１は、患者情報及び部位情報の少なくとも一方に基づき、有効画像領域を自動的に設定するようになっている。
すなわち、例えば、記憶部５２には患者Ｍの性別、身長、体重等の患者情報や、撮影対象部位に関する部位情報等と、有効画像領域のサイズとを対応づけるパラメータ等が格納されており、制御部５１は、ＨＩＳ／ＲＩＳ７等から得た患者情報や部位情報等とパラメータとを参照することにより有効画像領域のサイズを決定し、さらに、撮影が立位で行われるか臥位で行われるか等の撮影条件に基づいて、当該撮影における有効画像領域を指定する。具体的には、例えば、患者Ｍが女性であるとの情報や患者Ｍの体重が軽量であるとの情報があれば、比較的小さいサイズの有効画像領域とし、当該撮影が立位で行われるものであれば、上基準で有効画像領域の位置を決定する。制御部５１によって決定された有効画像領域は操作装置６に送信される。
なお、制御部５１が有効画像領域を指定、設定する手法はここに例示したものに限定されない。
【００６５】
また、制御部５１は、操作装置６により撮影オーダ情報が修正されたときには、この修正された撮影オーダ情報と検査対象とを対応付ける修正対応付け手段として機能する。
【００６６】
また、制御部５１は、放射線検出器４０、可搬型撮影装置４ｃから元画像データが送られると、この元画像データから有効画像領域に対応する領域画像データを抽出する領域画像データ抽出手段として機能する。そして、制御部５１は、元画像データに基づく画像及び有効画像領域の画像を適宜表示部５７に表示させる。
【００６７】
さらに、制御部５１は、撮影前に指定した有効画像領域が適切ではなかった場合にこれを変更する領域変更手段として機能する。
具体的には、例えば、患者Ｍが女性でありその身長が低いとの情報から、小さいサイズの有効画像領域とするよう設定したところ、検査対象の横幅が設定された有効画像領域よりも大きかったような場合に、サイズ設定欄５７２のサイズ選択ボタン５７４が操作されると、制御部５１は、有効画像領域のサイズを変更し、新たに選択されたサイズの領域を有効画像領域として設定する。
【００６８】
また、設定されたサイズ自体は適切である場合でも、患者Ｍの位置が撮影前にずれたこと等により検査対象（撮影対象部位）が有効画像領域内に収まっていない場合に、有効画像領域調整欄５７１の位置調整ボタン５８１が操作されると、制御部５１は当該ボタン操作による入力指示に従って有効画像領域の位置を調整する。
例えば、図９（ａ）に示すように、検査対象（撮影対象部位）の画像範囲５８２が当初設定されていた有効画像領域５８０内に収まっていない場合、このまま最終的な有効画像領域５８０を切り出すと、図９（ｂ）に示すように、検査対象（撮影対象部位）の画像範囲５８２の一部が欠けて、画像欠損部分５８３が生じてしまう。
そこで、有効画像領域調整欄５７１の位置調整ボタン５８１を操作することにより有効画像領域の位置を左に寄せるよう調整が行われると、制御部５１は、図１０（ａ）に示すように、当該ボタン操作による入力指示に従って有効画像領域の位置を調整する。これにより、図１０（ｂ）に示すように、検査対象（撮影対象部位）の画像範囲５８２が有効画像領域５８０と重なる位置に変更され、変更後の位置に有効画像領域が設定される。
【００６９】
さらに、制御部５１は、元画像データから抽出された有効画像領域に対応する領域画像データ又は必要に応じて変更された有効画像領域に対応する領域画像データを、当該検査対象の撮影オーダ情報（検査対象を提供する患者Ｍの氏名、撮影部位等の情報）と対応付ける対応付け手段として機能する。
すなわち、制御部５１は、元画像データから抽出された有効画像領域に対応する領域画像データを、当該画像データに付帯する情報に基づいて対応する患者Ｍの検査対象の撮影オーダ情報と対応付け、対応付けたのち、領域画像データを撮影オーダ情報とともにＰＡＣＳサーバ８等に送信し、保存する。なお、領域画像データ及び撮影オーダ情報の保存先はＰＡＣＳサーバ８に限定されない。
また、有効画像領域が決定すると、当該有効画像領域に対応する領域画像データをイメージャ９に送信して、適宜記録媒体に出力させる。
【００７０】
次に、本実施形態における放射線撮影システムの作用について説明する。
【００７１】
コンソール５の制御部５１は、ＨＩＳ／ＲＩＳ７からの情報に基づき、有効画像領域を指定する。そして、コンソール５は、制御部５１によって指定された有効画像領域等、撮影に関する情報を操作装置６に送信する。操作装置６の表示部６１には、患者情報、撮影に使用される装置の種類、有効画像領域等が表示され、ユーザ（放射線技師等）は、撮影室Ｒ１内に患者Ｍを導き、表示部６１に表示された情報に従って、撮影準備を行う。
なお、この際、患者Ｍの提供する検査対象がコンソール５の制御部５１によって指定された有効画像領域を明らかに超えると思える場合には、ユーザ（放射線技師等）は操作装置６を操作して、有効画像領域のサイズ変更等をすることができる。例えば女性であるといった性別のみの情報で有効画像領域が設定されていた場合に、実際の患者Ｍの体格が大きく、検査対象（撮影対象部位）が設定されている有効画像領域内に収まりきらない場合等には、撮影前に有効画像領域を変更することができる。
また、患者Ｍの状態や撮影装置４ａ，４ｂ，４ｃの不具合等によって、当初の撮影予約とは異なる撮影装置４を用いて撮影を行う場合には、ユーザ（放射線技師等）が操作装置６を操作して、その旨の変更を入力し、これにより撮影オーダ情報が修正される。修正後の撮影オーダ情報は、コンソール５に送られ、コンソールの制御部５１は、この修正後の撮影オーダ情報と検査対象との対応付けを行う。
【００７２】
撮影後、放射線検出器４０、可搬型撮影装置４ｃにより元画像データが生成されるとともに、元画像の間引き画像データが生成され、操作装置６に送られる。ユーザ（放射線技師等）は、検査対象（撮影対象部位）が元画像データの最大領域内（本実施形態では１７インチ×１７インチ）に収まっているか否かを確認し、収まっていなければ再撮影を決定し、収まっていれば、元画像データをコンソール５に送信するよう操作装置６から指示を入力する。これにより放射線検出器４０、可搬型撮影装置４ｃに指示信号が出力されて、放射線検出器４０、可搬型撮影装置４ｃからコンソール５に元画像データ（本実施形態では１７インチ×１７インチの全領域分）が送信される。
【００７３】
コンソール５に送られた元画像データは記憶部５２に一時的に記憶され、制御部５１は、この元画像データから有効画像領域を抽出し、または適宜変更して、最終的な有効画像領域を決定する。さらに、制御部５１は、決定された有効画像領域に対応する領域画像データと検査対象の撮影オーダ情報との対応付けを行う。検査対象の撮影オーダ情報と対応付けられた領域画像データは、ＰＡＣＳサーバ８等に送られて保存され、又は、イメージャ９等に送られて適宜出力される。
【００７４】
以上のように、本実施形態によれば、撮影制御室Ｒ２に設置されるコンソール５とは別に、撮影室Ｒ１内に操作装置６を設けているので、撮影室Ｒ１内で検査対象を提供する患者Ｍのポジショニング等を行った後にその位置がずれた場合や、当初の予定とは異なる撮影装置４ａ，４ｂ，４ｃを使用して撮影を行いたい場合等に、撮影室Ｒ１内の操作装置６を操作することによって撮影オーダ情報を修正することができる。このため、放射線技師の煩を低減させることができるとともに、撮影動作の円滑・迅速を実現することができる
【００７５】
また、放射線検出器４０、可搬型撮影装置４ｃによって取得された元画像データの全領域分のデータをコンソール５に送って、この中から有効画像領域を抽出する。このため、撮影時に患者Ｍの位置がずれる等により検査対象（撮影対象部位）が当初予定した有効画像領域から外れていたとしても、元画像データの最大領域内のどこかに入っていれば、その部分を有効画像領域として抽出することができる。したがって、患者Ｍに再撮影の負担をかけることなく、診断に必要な画像データを得ることができる。
【００７６】
また、１７インチ×１７インチという比較的大きな放射線検出器４０、可搬型撮影装置４ｃを用いているので、患者Ｍの体格等に差異がある場合や、患者Ｍの位置が多少ずれた場合でも、検査対象（撮影対象部位）を元画像データの最大領域内に収めることが可能であり、再撮影の生じる場合を極力減少させることができる。
【００７７】
また、コンソール５は、修正後の撮影オーダ情報と検査対象とを対応付けるようになっているので、検査対象と対応付けられる情報に撮影室Ｒ１内で修正された内容を反映させることができる。
【００７８】
また、ある撮影装置４に対する撮影予約を一括して、他の撮影装置４を使用する撮影予約に変更するようになっているので、撮影予約されていた撮影装置４が故障等により使用できなくなった場合等には、容易に撮影予約を変更することができ、便宜である。
【００７９】
同一撮影装置４に係る撮影画像をシリーズ毎に表示部６１に表示させることができるので、シリーズ毎に検査対象の位置ずれの有無等を確認することができ、再撮影の要否等を容易に判断することができる。
【００８０】
なお、本実施形態では、撮影を行う装置として、放射線検出器４０を内蔵する立位撮影用の撮影装置４ａ及び臥位撮影用の撮影装置４ｂと、可搬型の放射線検出器である可搬型撮影装置４ｃとを各々１つずつ撮影室Ｒ１内に設ける構成としたが、撮影室Ｒ１内に設けられる装置の種類、数、組合せ等は、ここに例示したものに限定されない。
【００８１】
また、本実施形態では、ネットワークＮに１対の撮影室Ｒ１、撮影制御室Ｒ２がコンソール５を介して接続されている場合を例として示したが、ネットワークＮにさらに複数の撮影室Ｒ１、撮影制御室Ｒ２が接続されていてもよい。この場合、１つのコンソール５が複数の撮影室Ｒ１を制御する構成としてもよい。また、撮影室Ｒ１が複数ある場合、各撮影室Ｒ１内に配置される装置の種類、数、組合せ等は、各撮影室Ｒ１ごとに異なってもよい。
【００８２】
また、本実施形態では、コンソール５の制御部５１が、画像領域指定手段、領域画像データ抽出手段、領域変更手段、対応付け手段として機能する場合を例として示したが、これらの機能の全部又は一部を操作装置６が実現する構成としてもよい。
【００８３】
また、本実施形態では、ユーザ（放射線技師等）が再撮影の要否や、有効画像領域内に検査対象（撮影対象部位）が収まっているか否か等を画像を見て確認し、検査対象の位置が有効画像領域内から外れている場合には、有効画像領域変更画面において領域設定枠を手動で調整し、調整結果が入力されると、これに基づいて制御部５１が有効画像領域の変更を行うようにしたが、有効画像領域の領域設定枠の設定を制御部５１が自動的に行うように構成してもよい。
具体的には、例えば、患者Ｍを透過した放射線の到達領域と、患者Ｍを透過せず放射線が直接的に到達した領域との信号値の差（比較的大きな信号差となる）から、患者Ｍの左右両側の境界ライン（図９や図１０における上下方向のライン）を検出し、当該両境界ラインの中心線を求め、この中心線と上端辺との交点を、予め指定された有効画像領域の領域設定枠の配置基準点とし、この配置基準点に基づいて配置された領域設定枠内の有効画像領域に対応する領域画像データを抽出することとしてもよい。
また、上記のような制御部５１による自動有効画像領域設定の後、ユーザによる微調整を行うようにしてもよい。
【００８４】
また、本実施形態においては、撮影装置４ａ，４ｂに装填される放射線検出器４０及び可搬型の放射線検出器である可搬型撮影装置４ｃが、いずれもＦＰＤである場合を例として説明したが、可搬型撮影装置４ｃはＦＰＤである場合に限定されない。例えば、可搬型撮影装置４ｃはＣＲタイプのカセッテであってもよい。この場合には、例えば、別途読取装置とコンソール５とを接続し、この読取装置に撮影後のカセッテを装填し、読取画像をコンソール５に送信するように構成する。
この場合、撮影オーダ情報が変更された場合には、例えば、変更された撮影オーダ情報に基づいてまずＣＲカセッテによる撮影を行い、撮影後に撮影に使用したカセッテをコンソールにおいて変更後の撮影オーダ情報と対応付ける、所謂後登録方式や、撮影前にコンソールに戻り、変更後の撮影オーダ情報とカセッテの識別情報とを対応付けた上で撮影を行う、所謂前登録方式等、特開２００３−２２４７０３の明細書中に開示されているような各種の対応付け方式を採用することができる。
放射線検出器として、ＦＰＤとＣＲカセッテのいずれでも使用できるようにすることにより、例えば、新たにＦＰＤを導入する場合にも、施設内に既に構築されている既存のＣＲシステムを活用しつつ、必要に応じてＦＰＤを一種類のみ導入する等、設備投資を最低限に抑えつつ、施設の効率的な運用を行うことが可能となる。
【００８５】
その他、本発明が本実施の形態に限定されず、適宜変更可能であることはいうまでもない。
【図面の簡単な説明】
【００８６】
【図１】本発明に係る放射線撮影システムの一実施形態のシステム構成を示す図である。
【図２】図１に示す放射線撮影システムに適用される操作装置の概略構成を示す要部ブロック図である。
【図３】操作装置のメイン画面の一例を示す図である。
【図４】操作装置の装置変更画面の一例を示す図である。
【図５】操作装置の撮影条件設定画面の一例を示す図である。
【図６】図６（ａ）は、立位撮影の場合の領域設定枠の一例を示した図であり、図６（ｂ）は、臥位撮影の場合の領域設定枠の一例を示した図である。
【図７】図１に示す放射線撮影システムに適用されるコンソールの概略構成を示す要部ブロック図である。
【図８】図７に示すコンソールの表示部に表示される有効画像領域変更画面の一例を示す図である。
【図９】図９（ａ）は、検査対象が有効画像領域内に収まっていない場合を示す図であり、図９（ｂ）は、図９（ａ）の状態で有効画像領域を切り出した場合を示す図である。
【図１０】図１０（ａ）は、検査対象が有効画像領域内に収まっている場合を示す図であり、図１０（ｂ）は、図１０（ａ）の状態で有効画像領域を切り出した場合を示す図である。
【符号の説明】
【００８７】
２  放射線源
４０  放射線検出器
４ａ  立位撮影用の撮影装置（撮影部）
４ｂ  臥位撮影用の撮影装置（撮影部）
４ｃ  可搬型撮影装置（撮影部）
５  コンソール
６  操作装置（操作部）
７  ＨＩＳ／ＲＩＳ
８  ＰＡＣＳサーバ
９  イメージャ
５１  制御部
５２  記憶部
５７  表示部
６１  表示部
６２  操作入力部
６３  通信部
６５  制御部
１００  放射線撮影システム
Ｍ  患者
Ｎ  ネットワーク
Ｒ１  撮影室
Ｒ２  撮影制御室
【図１】
2010268822.tif 000003
【図２】
2010268822.tif 000004
【図３】
2010268822.tif 000005
【図４】
2010268822.tif 000006
【図５】
2010268822.tif 000007
【図６】
2010268822.tif 000008
【図７】
2010268822.tif 000009
【図８】
2010268822.tif 000010
【図９】
2010268822.tif 000011
【図１０】
2010268822.tif 000012